(57)【特許請求の範囲】
【請求項１】
平板状の基板本体を有する基板部と、板状の被収納体を収納する前記基板本体に形成された１または複数の収納部と、を備えた支持トレイであって、
前記収納部は、前記被収納体を支持する前記基板本体の表面側に形成された支持ポケット部と、前記支持ポケット部に対応して前記基板本体の裏面側に形成された押え部とを有し、
前記支持ポケット部は、前記被収納体が収納される収納領域を取り囲むように間隔を有して複数配置され、前記収納領域内に入り込む正面部を前記収納領域の内側から外側に向うに従って高くなる上向きに傾斜した傾斜面とし、前記基板本体から上方に向けて突出する突出部をなし、空洞に形成された内部が前記基板本体の裏面側に開口する底面開口に通じ、突出先端側に向かうに従って先細りする先細り形状に形成された支持体を有し、
前記押え部は、前記隣接する支持体間の空間に対応して配置され、表裏面方向において前記収納領域に対応する押え領域内に入り込む正面部を前記押え領域の内側から外側に向うに従って高くなる下向きに傾斜した傾斜面とし、前記基板本体から下方に向けて突出する突出部をなし、空洞に形成された内部が前記基板本体の上面側に開口する上面開口に通じ、突出先端側に向かうに従って先細りする先細り形状に形成された押え体を有し、
前記支持トレイの収納部を上下で合わせて前記支持トレイを重ねた状態で、下側の前記支持トレイの支持体が上側の前記支持トレイの支持体を構成する空洞内に前記底面開口に差し込まれて嵌め込まれると共に、上側の前記支持トレイに形成された下向きに突出する押え体が下側の前記支持トレイの押え体を構成する空洞内に前記上面開口に差し込まれて嵌め込まれ、下側の前記支持トレイの前記支持ポケット部に支持された前記被収納体に上側の前記支持トレイの押え体の正面部が当接するまで上下の前記支持トレイが重なることを特徴とする支持トレイ。
【請求項２】
請求項１に記載の支持トレイにおいて、
前記収納部は、直交する２軸方向に複数配置され、前記押え体を前記直交する２軸方向又はいずれか一方の軸方向に配置したことを特徴とする支持トレイ。
【請求項３】
請求項１又は２に記載の支持トレイにおいて、
前記支持体と前記押え体の正面部の傾斜面は、基端部側の部分の傾斜率よりも先端部側の部分の傾斜率を高くしたことを特徴とする支持トレイ。
【請求項４】
請求項１から３のいずれかに記載の支持トレイにおいて、
前記基板本体に前記収納部が複数配置され、隣接する前記収納部の対向する支持体又は押え体同士を一体的に連接すべく突出する突出部をなし、前記基板本体に開口する内部が空洞の連設部を有することを特徴とする支持トレイ。
【発明の詳細な説明】
【技術分野】
【０００１】
この発明は、レンズやミラー等の光学素子、シリコンウエハー等のウエハー、液晶セルや液晶セルのガラス基板等を支持する技術に関する。
【背景技術】
【０００２】
一般に、表面加工等の処理がなされたレンズ等の光学素子は、搬送等のために支持トレイに支持される。支持トレイには、光学素子を支持する複数の支持部が形成されている。支持部として、外径が異なる光学素子に対応可能とする構造が提案されている（特許文献１）。
【０００３】
この支持部は、平坦状の基底面から上方に向けて３又は４個の支持突起を凸設した構造としている。各支持突起は、円盤形状の光学素子を取り囲むように所定の間隔を有して同一円周上に配置されている。各支持突起は、光学素子の外縁に当接する当接面を傾斜面としている。支持部への光学素子の載置と取り出しは、隣接する支持突起の間の隙間に作業者が指を差し入れ、光学素子を摘まむことで行える。
【０００４】
各支持突起に形成される当接面は、上端から下端側に向うに従って、光学素子の中心側に向う傾斜面としている。このため、光学素子は、外径が小さくなるに従って、支持突起の下方で支持され、外径が大きくなるに従って支持突起の上方で支持されることになる。
【０００５】
一方、各支持部に光学素子を支持する支持トレイ（以下、収納トレイと称す）とは別に、同じ構造の他の支持トレイが蓋として用いられる。蓋として用いられる支持トレイ（以下、蓋トレイと称す）は、上下逆にして光学素子を支持する収納トレイに被せられる。その際、各支持部に支持された光学素子の外周縁に、蓋トレイの下向きに突出する支持突起の当接面が当接し、光学素子を上下の支持突起で挟持するように固定する。
【０００６】
収納トレイおよび蓋トレイをなす支持トレイは、支持トレイの幅方向中心位置を境にして、左右対称に支持部が形成されている。そして、対称位置の支持部の支持突起は、互いに支持部の中心点の周りに、９０度の角度をずらして形成されている。このため、蓋トレイの支持突起は、収納トレイの支持突起の間の空間に嵌合することになる。
【０００７】
このような従来の支持トレイにおいて、収納トレイに収納した光学素子を搬送する場合、収納トレイを例えば５段というように多段に積載するのが一般的である。この場合、収納トレイと蓋トレイを一組とするため、段数の倍の支持トレイが必要となり、コストアップを招く。
【０００８】
また、支持トレイに支持部を複数列に渡って配置する場合、蓋トレイとしても使用可能とするために、支持部の支持突起の配置向きを全て同一にすることができない。したがって、一部の支持部においては、隣接する支持突起の間に形成される隙間の位置が指を入れて摘まむのに最適であっても、他の支持部については光学素子を摘まむのに最適とは言えない。
【先行技術文献】
【特許文献】
【０００９】
【特許文献１】特開平１０−０５９４５３号公報
【発明の概要】
【発明が解決しようとする課題】
【００１０】
本発明の目的は、外径が異なる光学素子等の板状体を支持可能としつつ、蓋トレイを別に必要としない支持トレイを提供することにある。
【００１１】
本発明の他の目的は、上記した目的に加え、さらに、板状体を最適に摘まむことができる支持トレイを提供することにある。
【課題を解決するための手段】
【００１２】
課題を解決する支持トレイ１の構成は、平板状の基板本体を有する基板部と、板状の被収納体を収納する前記基板本体に形成された１または複数の収納部と、を備えた支持トレイであって、前記収納部は、前記被収納体を支持する前記基板本体の表面側に形成された支持ポケット部と、前記支持ポケット部に対応して前記基板本体の裏面側に形成された押え部とを有し、  前記支持ポケット部は、前記被収納体が収納される収納領域を取り囲むように間隔を有して複数配置され、前記収納領域内に入り込む正面部を前記収納領域の内側から外側に向うに従って高くなる上向きに傾斜した傾斜面とし、前記基板本体から上方に向けて突出する突出部をなし、空洞に形成された内部が前記基板本体の裏面側に開口する底面開口に通じ、突出先端側に向かうに従って先細りする先細り形状に形成された支持体を有し、前記押え部は、前記隣接する支持体間の空間に対応して配置され、表裏面方向において前記収納領域に対応する押え領域内に入り込む正面部を前記押え領域の内側から外側に向うに従って高くなる下向きに傾斜した傾斜面とし、前記基板本体から下方に向けて突出する突出部をなし、空洞に形成された内部が前記基板本体の上面側に開口する上面開口に通じ、突出先端側に向かうに従って先細りする先細り形状に形成された押え体を有し、前記支持トレイの収納部を上下で合わせて前記支持トレイを重ねた状態で、下側の前記支持トレイの支持体が上側の前記支持トレイの支持体を構成する空洞内に前記底面開口に差し込まれて嵌め込まれると共に、上側の前記支持トレイに形成された下向きに突出する押え体が下側の前記支持トレイの押え体を構成する空洞内に前記上面開口に差し込まれて嵌め込まれ、下側の前記支持トレイの前記支持ポケット部に支持された前記被収納体に上側の前記支持トレイの押え体の正面部が当接するまで上下の前記支持トレイが重なるものである。
【００１３】
課題を解決する支持トレイの第２の構成は、上記した第１の支持トレイの第１の構成において、前記収納部は、直交する２軸方向に複数配置され、前記押え体を前記直交する２軸方向又はいずれか一方の軸方向に配置したものである。
【００１４】
課題を解決する支持トレイの第３の構成は、上記したいずれかの構成の支持トレイにおいて、前記支持体と前記押え体の正面部の傾斜面は、基端部側の部分の傾斜率よりも先端部側の部分の傾斜率を高くしたものである。
【００１５】
課題を解決する支持トレイの第４の構成は、上記したいずれかの構成の支持トレイにおいて、前記基板本体に前記収納部が複数配置され、隣接する前記収納部の対向する支持体又は押え体同士を一体的に連接すべく突出する突出部をなし、前記基板本体に開口する内部が空洞の連設部を有するものである。
【発明の効果】
【００１７】
本発明によれば、支持ポケット部には、例えば所定の直径範囲内で任意の直径のレンズが支持できる。そして、支持トレイを複数段に積層する場合には、上の支持トレイの押え部が下の支持ポケット部に支持されるレンズの縁を上から押える。このため、支持トレイの枚数は、積層段数の支持トレイと、最上段の支持トレイに被せる蓋として使用する１枚の支持トレイで済み、従来に比べて大幅に支持トレイの使用枚数を削減できる。
【００１８】
請求項２に係る発明によれば、支持トレイを直交する２軸の一方の軸方向に合わせて作業台等に載置し、被収納体を指で摘まんで収納する場合や取り出す場合、手の指で物を摘まむ自然な姿勢で指が押え体の上面開口に入るため、被収納体の収納および取り出し作業を効率良く行うことができる。
【００１９】
請求項３に係る発明によれば、外径が大きくて厚みが薄いレンズでも、また外径が小さくて厚みが大きいレンズでも同じ収納部に収納することができ、支持トレイに同じ枚数のレンズを収納することができる。また、支持ポケット部と押え部の高さも同じ高さとすることができるので、例えば真空成形法により成形する場合には、支持ポケット部と押え部の板厚が薄くなるのを防ぐことができる。
【００２０】
請求項４に係る発明によれば、基板部の剛性を高めることができ、収納するレンズ等の被収納体を安定して支持でき、また輸送時における被収納体のガタつきを防止することができる。
【図面の簡単な説明】
【００２１】
【図１】本発明による支持トレイの第１の実施形態を示す外観斜視図。
【図２】図１の支持トレイを上方から見た上面図。
【図３】図２のＡ−Ａ矢視図。
【図４】図２のＢ−Ｂ矢視図。
【図５】図２のＣ−Ｃ矢視図。
【図６】（ａ）は図２に示す支持トレイを上下に配置した状態を示す図、（ｂ）は上の支持トレイを下の支持トレイに重ね合わせた状態を示す図。
【図７】第２の実施形態を示す収納部の縦断面図。
【図８】第３の実施形態を示す支持トレイの概略上面図。
【図９】（ａ）は図８のＤ−Ｄ矢視図、（ｂ）は図８のＥ−Ｅ矢視図。
【発明を実施するための形態】
【００２２】
以下、本発明を図面に示す実施形態に基づいて詳細に説明する。
【００２３】
第１の実施形態
図１から図６は本発明の第１の実施形態を示し、図１は本発明による支持トレイの第１の実施形態を示す外観斜視図である。図２は図１の支持トレイを上方から見た上面図、図３は図２のＡ−Ａ矢視図、図４は図２のＢ−Ｂ矢視図、図５は図２のＣ−Ｃ矢視、図６（ａ）は図２に示す支持トレイを上下に配置した状態を示す図、図６（ｂ）は上の支持トレイを下の支持トレイに重ね合わせた状態を示す図である。
【００２４】
本実施形態の支持トレイ１は、被収納体である円盤状のレンズ等の光学素子Ｌを水平姿勢で複数個収納するものである。支持トレイ１は、基板部３に光学素子Ｌを収納する収納部５をｍ（ｍ≧１）行×ｎ（ｎ≧１）列のマトリックス状に配置している。本実施形態においては、４行×５列に収納部５を配置している。支持トレイ１は、例えばポリエチレンテレフタレート樹脂（ＰＥＴ）等を用いて真空成形法により形成している。なお、互いに直交する３軸をＸ軸、Ｙ軸、Ｚ軸とすると、図において、行方向をＹ軸方向、列方向をＸ軸方向とする。
【００２５】
収納部５は、基板部３の上面をなす基板本体３１を境にして上方を支持ポケット部７とし、下方を押え部９としている。基板部３は、矩形平面に形成された基板本体３１の４辺からＺ軸方向下方に向けて延びる高さＨ１の側壁３２と、各側壁３２の下端から外方に向けて水平に延びるフランジ部３３とにより構成される。側壁３２は、上方に向うに従って僅かに先細りする先細り形状に形成されている。
【００２６】
支持ポケット部７は、中心点Ｏを中心として周方向に４つの支持体７１、７２、７３、７４をＺ軸方向に沿って上方に向け突出させている。第１支持体７１と第２支持体７２と第３支持体７３と第４支持体７４は、光学素子Ｌの収納領域（図３参照）を取り囲むように、周方向に等間隔（等角度）に配置される。
【００２７】
Ｘ軸方向に沿って対向配置される第１支持体７１と第３支持体７３は中心点Ｏを中心に点対称に配置され、Ｙ軸方向に沿って対向配置される第２支持体７２と第４支持体７４は中心点Ｏを中心に点対称に配置される。第１支持体７１〜第４支持体７４は高さＨ２に形成される。本実施形態において、第１支持体７１〜第４支持体７４の高さＨ２は、基板部３の側壁３２の高さＨ１と略同じ高さとしている。
【００２８】
第１支持体７１〜第４支持体７４は、基板本体３１に開口した底面開口７５を有しており、内部に支持体空洞Ｃ１が形成された中空形状としている。第１支持体７１〜第４支持体７４の支持体空洞Ｃ１は第１支持体７１〜第４支持体７４の外径形状と相似形状に形成されている。中空形状の各支持体７１〜７４は、中心点Ｏから径方向外方に向けて中心角αで拡がる上面視略扇形状に形成されている。
【００２９】
第１支持体７１〜第４支持体７４において、中心点Ｏに近い側を上正面部７６とし遠い側を背面部とする。上正面部７６は、Ｚ軸方向の上方側に向いている直線状の傾斜面（傾斜角：γ）に形成されている。傾斜面をなす上正面部７６の傾斜方向は、径方向外方端側（外端）７７が高く、中心点Ｏ側（内端）７８が低い傾斜としている。したがって、第１支持体７１〜第４支持体７４は、側面が略直角三角形状の上方に向けて凸形状の山形に形成されている。なお、第１支持体７１〜第４支持体７４の各上正面部７６の頂面７６ａを略水平な平坦面に形成している。
【００３０】
第１支持体７１〜第４支持体７４は、基板本体３１側から先端側に向うに従って僅かに先細りする先細り形状に形成されている。このため、支持トレイ１を重ねると、下側の支持トレイ１の第１支持体７１〜第４支持体７４が上側の支持トレイ１の第１支持体７１〜第４支持体７４の支持体空洞Ｃ１に差し込まれる。その際、下側の支持トレイ１における基板部３の側壁３２は、上側の支持トレイ１における基板部３の側壁３２の内側に嵌め込まれる。本実施形態では、支持体空洞Ｃ１の内径寸法が、第１支持体７１〜第４支持体７４の外径寸法よりも板厚分だけ狭いので、その板厚の差分に応じた隙間を有して差し込まれる。
【００３１】
基板部３の基板本体３１には、隣接する支持体（７１〜７４）の間に、上側空間Ｓ１が設けられている。上側空間Ｓ１は、支持体（７１〜７４）の平面形状と略同サイズを有している。
【００３２】
各支持体７１〜７４の外端７７と内端７８は、中心点Ｏを中心とする同一円周上に設定されている。各支持体７１〜７４の傾斜面をなす上前面部７６は、傾斜面に対して垂直な断面が凹状（弧状）に湾曲され、支持する光学素子Ｌの外周と安定して接触できるようにしている。
【００３３】
第１支持体７１（第２支持体７２）の外端７７と第３支持体７３（第４支持体７４）の外端７７間の距離（大径）をＤ１、第１支持体７１（第２支持体７２）の内端７８と第３支持体７３（第４支持体７４）の外端７７間の距離（小径）をＤ２（Ｄ１＞Ｄ２）とする。
【００３４】
ここで、傾斜角がγ、小径底面の外径がＤ２、大径上底の外径がＤ１の逆円錐台形状の被収納体を支持ポケット部７の中心点Ｏに前記被収納体の中心点を合わせて各支持体７１〜７４に載置すると、各支持体７１〜７４の上前面部７６の全面に前記被収納体の外周面が接触する。
【００３５】
したがって、支持ポケット部７には、外径の範囲がＤ１〜Ｄ２の範囲内で、外径が異なる光学素子Ｌを収納領域内に載置することができる。支持ポケット部７に載置された光学素子Ｌは、第１支持体７１〜第４支持体７４の収納領域内に存在する上前面部７６に接触して水平姿勢に支持される。
【００３６】
次に、収納部５の押え部９について説明する。
【００３７】
押え部９は、第１支持体７１と第２支持体７２との間の上側空間Ｓ１に対応して第１押え体９１、第２支持体７２と第３支持体７３との間の上側空間Ｓ１に対応して第２押え体９２、第３支持体７３と第４支持体７４との間の上側空間Ｓ１に対応して第３押え体９３、第４支持体７４と第１支持体７１との間の上側空間Ｓ１に対応して第４押え体９４をそれぞれ配置している。
【００３８】
これら第１押え体９１〜第４押え体９４は、図５に示すように、基板本体３１の下方（裏面側）に形成され、中心点Ｏを中心として周方向に等間隔（等角度）に配置している。したがって、第１支持体７１が角度０度の位置（Ｘ軸上）に配置されているとすると、第１押え体９１〜第４押え体９４は、時計回り方向に、順に、４５度、１３５度、２２５度、３１５度の角度位置に配置される。
【００３９】
第１押え体９１〜第４押え体９４は、Ｚ軸方向に沿って下向きに突出している。対向配置される第１押え体９１と第３押え体９３、および第２押え体９２と第４押え体９４は、中心点Ｏを中心に点対称に配置され、高さＨ３に形成される。本実施形態において、第１押え体９１〜第４押え体９４の高さＨ３は、基板部３の側壁３２の高さＨ１と略同じ高さとしている。
【００４０】
すなわち、支持トレイ１を作業台等に載置した際、作業台にはフランジ部３３に加えて、各押え部９の各押え体（９１〜９４）が当接するため、支持トレイ１は撓むことなく作業台に載置される。このため、作業台に支持トレイ１を載置した状態で、支持ポケット部７に光学素子Ｌを載せたり、摘まみ上げたりする際、基板本体３１がバタつくのを防止できる。
【００４１】
第１押え体９１〜第４押え体９４は、基板本体３１に開口した上面開口９５を有しており、内部に押え体空洞Ｃ２が形成された中空形状としている。中空形状の各押え体９１〜９４は、中心点Ｏから径方向外方に向けて中心角βで拡がる底面視略扇形状に形成され、下前面部９６が中心点Ｏ側に面する直線状の傾斜面（傾斜角：γ）に形成されている。
【００４２】
本実施形態において、基板本体３１からＺ軸方向の下方における高低は、基板本体３１に近い方を「低」、遠い方を「高」とする。第１押え体９１〜第４押え体９４におけるＺ軸方向に対して下向きに向いている傾斜面をなす下前面部９６の傾斜方向は、径方向外方端側（外端）９７が高く、中心点Ｏ側（内端）９８が低い傾斜としている。したがって、第１押え体９１〜第４押え体９４は、側面が略直角三角形状の下方に向けて凸形状の山形に形成されている。また、下前面部９６は、第１支持体７１〜第４支持体７４の上前面部７６と同様に弧状に湾曲している。なお、第１押え体９１〜第４押え体９４の各下前面部９６の下頂面９６ａは略水平な平坦面に形成されている。
【００４３】
第１押え体９１〜第４押え体９４の内端９８と、第１支持体７１〜第４支持体７４の内端７８は、中心点Ｏを中心とする同一の円周上に略一致して形成され、第１押え体９１〜第４押え体９４の外端９７と第１支持体７１〜第４支持体７４の外端７７は、中心点Ｏを中心とする同一の円周上に略一致して形成される。
【００４４】
第１押え体９１〜第４押え体９４は、基板本体３１側からＺ軸方向に沿って下向きに突出しており、突出先端側に向うに従って僅かに先細りする先細り形状に形成されている。第１押え体９１と第２押え体９２との間には、第２支持体７２の底面開口７５が臨む下側空間Ｓ２が形成される。同様に、第２押え体９２と第３押え体９３との間、第３押え体９３と第４押え体９４との間、第４押え体９４と第１押え体９１との間には、第３支持体７３、第４支持体７４、第１支持体７１の各底面開口７５がそれぞれ臨む下側空間Ｓ２が形成される。下側空間Ｓ２は、押え体（９１〜９４）の平面形状と略同サイズに形成されている。
【００４５】
このため、支持トレイ１を重ねると、上側の支持トレイ１と下側の支持トレイ１の上下で対応する収納部５は、上側の支持トレイ１の第１押え体９１〜第４押え体９４が下側の支持トレイ１の各上側空間Ｓ１に対応して位置する。また、下側の支持トレイ１の第１支持体７１〜第４支持体７４は、上側の支持トレイ１の各下側空間Ｓ２に対応して位置する。
【００４６】
上側の支持トレイ１を下側の支持トレイ１に向けて押し下げると、上側のトレイ１の各押え体（９１〜９４）が下側の支持トレイ１の上面開口９５に差し込まれ、押え体空洞Ｃ２に嵌め込まれる。
【００４７】
本実施形態では、押え体空洞Ｃ２の内径寸法が、第１押え体９１〜第４押え体９４の外径寸法よりも板厚分だけ狭いので、その板厚の差分に応じた隙間を有して嵌め込まれる。その際、第１押え体９１〜第４押え体９４と第１支持体７１〜第４支持体７４は、周方向に交互に位置する。
【００４８】
中心点Ｏを中心とする第１押え体９１〜第４押え体９４の外端９７の直径は、中心点Ｏを中心とする第１支持体７１〜第４支持体７４の外端７７の直径Ｄ１と略同径（Ｄ１）としている。また、中心点Ｏを中心とする第１押え体９１〜第４押え体９４の内端９８の直径は、中心点Ｏを中心とする第１支持体７１〜第４支持体７４の内端７８の直径Ｄ２と略同径（Ｄ２）としている。
【００４９】
ここで、傾斜角がγ、小径上底面の外径がＤ２、大径下底面の外径がＤ１の円錐台形状の被収納体に対し、押え部９の中心点Ｏを前記被収納体の中心点に合わせて各押え体９１〜９４を被せると、各押え体９１〜９４の下前面部９６の全面が前記被収納体の外周面に接触する。
【００５０】
光学素子Ｌの外径がＤ１〜Ｄ２の範囲内において、光学素子Ｌの外径が小さいと、各押え体９１〜９４の下前面部９６は、内端９８に近い位置で光学素子Ｌの外周縁に接触し、光学素子Ｌと基板本体３１とのＺ軸方向における距離が短くなる。これに対し、光学素子Ｌの外径が大きいと、各押え体９１〜９４の下前面部９６は、外端９７に近い位置で光学素子Ｌの外周縁に接触し、光学素子Ｌと基板本体３１とのＺ軸方向における距離が長くなる。
【００５１】
図１及び図２に示すように、支持トレイ１には、４行×５列の計２０個の収納部５が形成されている。各収納部５の支持ポケット部７は、隣接する支持ポケット部７との間で、対向して支持体（７１〜７４）が存在する場合には、対向する支持体（７１〜７４）を連設部７９により連設して一体化している。連設部７９は、基板本体３１からＺ軸方向上方に突出する凸形状で、内部が中空形状に形成されている。連設部７９の内側は、支持体（７１〜７４）の支持体空洞Ｃ１に通じる連設空洞Ｃ３を有する。連設部７９の外形と、連設空洞Ｃ３とは、支持体（７１〜７４）と支持体空洞Ｃ１と同様に、支持トレイ１を上下に重ねると、連設部７９が連設空洞Ｃ３内に嵌め込まれる。
【００５２】
このように、隣接する支持ポケット部７の対向する支持体（７１〜７４）同士を連設部７９で連設して一体化することにより、支持トレイ１の曲げ剛性およびねじれ剛性が高くなる。
【００５３】
以上説明した本実施形態による支持トレイ１に光学素子Ｌを載置する際、作業者は、光学素子Ｌを一個ずつ指で摘まみ、支持ポケット部７の第１支持体７１〜第４支持体７４に載置する。その際、第１支持体７１〜第４支持体７４の間に位置する基板本体３１に開口した上面開口９５に光学素子Ｌを摘まんだ指先が入り込む。このため、光学素子Ｌを容易に支持ポケット部７に載置することができる。
【００５４】
なお、本実施形態において、支持トレイ１は、支持ポケット部７の第１支持体７１と第３支持体７３をＸ軸方向に沿って配置し、第２支持体７４と第４支持体７４をＹ軸方向に沿って配置しているが、中心点Ｏを中心として周方向（例えば時計回り方向）に４５度の角度をずらして配置するようにしても良い。この場合、第４押え体９４と第２押え体９２がＸ軸方向に沿って配置され、第１押え体９１と第３押え体９３はＹ軸方向に沿って配置される。この場合、上面開口９５がＸ軸上、Ｙ軸上に位置する。また、隣接する押え体（９１〜９４）同士を連設部により連設する。
【００５５】
支持トレイ１の使い方として、２枚の支持トレイ１を作業台の上に横並びに配置し、例えば左側に配置した支持トレイ１に載置されている光学素子Ｌを作業者が摘まんで取り上げて目視検査を行い、そのまま右側に配置した支持トレイ１に載置するという検査を行うことがある。この場合、上面開口９５がＸ軸上とＹ軸上に配置されていると、左側の支持トレイ１から右側の支持トレイ１に移載する作業を容易に行える。
【００５６】
すなわち、光学素子Ｌを手の指で摘まむ際、手の親指と人差し指又は中指で光学素子Ｌを摘まむ。そして、Ｘ軸上の離隔する上面開口９５に親指と例えば人差し指を差し込んだ状態で摘まんだ光学素子Ｌを右側の支持トレイ１の支持ポケット部７に移載する。その際、光学素子Ｌを摘まんだ姿勢を維持しながら、作業者の肘を支点として腕を右側に振るだけで、光学素子Ｌを摘まんだ親指と人差し指が移載する支持ポケット部７の上面開口９５に差し込まれ、検査済み光学素子を確実で容易に支持ポケット部７の第１支持体７１〜第４支持体７４に載置させることができる。
【００５７】
次に、複数の支持トレイ１を積み重ねて搬送、保管する場合等について説明する。図６（ａ）に示すように、実線で示す下側の支持トレイ１の２０個の支持ポケット部７には光学素子Ｌがそれぞれ載置されている。例えば支持トレイ１を５段に積載する場合には、光学素子Ｌが載置された支持トレイ１を５枚と、光学素子Ｌが載置されていない破線で示す空の支持トレイ１を蓋用として１枚用意する。
【００５８】
光学素子Ｌの載置済み支持トレイ１を上下に重ねる。下の支持トレイ１には、支持ポケット部７に光学素子Ｌが第１支持体７１〜第４支持体７４の上前面部７６に接触して支持される。上の支持トレイ１を下の支持トレイ１に対して前後及び左右を合わせて上方に位置させると、上の支持トレイ１の裏面側に設けられる押え部９が下の支持トレイ１の支持ポケット部７の上方に位置する。
【００５９】
上の支持トレイ１の押え部９の各押え体９１〜９４は、下の支持トレイ１の各上面開口９５の上方に位置する。下の支持トレイ１に配置されるこれら上面開口９５は、下の支持トレイ１の各押え体９１〜９４の押え体空洞Ｃ２に通じている。
【００６０】
一方、下の支持トレイ１の第１支持体７１〜第４支持体７４および連設部７９は、上の支持トレイ１の裏面側に開口する各底面開口７５、および連設空洞Ｃ３の下方に位置する。上の支持トレイ１の各底面開口７５は、上支持トレイ１の第１支持体７１〜第４支持体７４の支持体空洞Ｃ１に通じる。
【００６１】
続いて、図６（ｂ）に示すように、上の支持トレイ１を下の支持トレイ１に向けて下げると、上の支持トレイ１の各押え部９の第１押え体９１〜第４押え体９４の下前面部９６が下の支持トレイ１の支持ポケット部７に支持されている光学素子Ｌの外周縁に当接する。ここで、上の支持トレイ１の押し下げは終了する。その際、上の支持トレイ１の各押え部９の第１押え体９１〜第４押え体９４が、下の支持トレイ１の各押え体空洞Ｃ２に嵌まり込む。同様に、下の支持トレイ１の第１支持体７１〜第４支持体７４および連設部７９が上の支持トレイ１の支持体空洞Ｃ１および連設空洞Ｃ３に嵌まり込む。このため、各押え部９の第１押え体９１〜第４押え体９４により光学素子Ｌを押える位置まで上の支持トレイ１を下の支持トレイ１に対して押し下げることができる。支持ポケット部７で支持される光学素子Ｌは、上の支持トレイ１の押え部９により上方から押えられ、上下左右にガタつくことなく上下の支持トレイ１の収納部３に収納される。なお、図６（ｂ）において、下の支持トレイ１の第４支持体７４の図示は省略している。
【００６２】
特に、外径が小さい光学素子Ｌは、基板本体３１に近い位置で支持体（７１〜７４）に載置されるため、上の支持トレイ１と下の支持トレイ１との間隔が狭くなる。しかし、支持体（７１〜７４）と押え体（９１〜９４）は、それぞれ対向する支持体空洞Ｃ１と押え体空洞Ｃ２に嵌まり込み、上下の支持トレイ１同士が接近できるようになっている。このため、収納可能とする光学素子Ｌの直径の範囲を広範囲とすることができる。
【００６３】
光学素子Ｌを載置した支持トレイ１を５段に積載すると、最上段の支持トレイ１の上には、空の支持トレイ１が載置され、蓋として機能する。そして、積載された全体の積載体を結束バンド等により結束する。基板本体３１に押え体（９１〜９４）をＸ軸上およびＹ軸上に設けていると、基板本体３１の上面にはＸ軸方向およびＹ軸方向に沿って空間Ｓ２が一直線に基板本体３１の両端に渡って形成される。したがって、蓋として使用する支持トレイ１の空間Ｓ２に前記結束バンドを掛ければ、ズレなく結束バンドを掛け回すことができる。
【００６４】
第２の実施形態
図７は本発明による支持トレイの第２の実施形態を示す。
【００６５】
図７は、支持トレイの概略縦断面図を示す。なお、図７において、図１〜図６に示す部材と同じ部材には同じ符号を付してその説明を省略する。また、本第２の実施形態における支持トレイ１は、第１の実施形態と同様に、ｍ列×ｎ列に収納部５を形成している。Ｘ軸上及びＹ軸上に、支持体（７１〜７４）を配置した構成であっても、押え体（９１〜９４）を配置した構成であっても良い。
【００６６】
上記した第１の実施形態において、収納部５における支持体（７１〜７４）の上前面部７６と、押え体（９１〜９４）の下前面部９６は直線状の傾斜面としている。また、支持体（７１〜７４）に載置する光学素子Ｌの上端が支持体（７１〜７４）の上端までとしている。このため、図７に示すように、光学素子Ｌの厚みが大きいと、光学素子Ｌの直径が二点鎖線で示す支持体（７１〜７４）間の最大直径Ｄ１以下であっても、支持体（７１〜７４）の上端よりも上方に達する場合がある。このような光学素子Ｌを収納可能とするには、破線で示すように支持体（７１〜７４）の上端（外端７７´）を光学素子Ｌの上端まで達するようにしなければならず、結果として支持体（７１〜７４）間の最大直径Ｄ３が大きくなる。
【００６７】
基板本体３１に形成する収納部５の直径がＤ１からＤ３に拡がると、基板本体３１に形成できる収納部５の個数が減少する。
【００６８】
そこで、本第２の実施形態では、図７に示すように、第１支持体７１〜第４支持体７４の上前面部７６を傾斜角がδ１（０＜δ１＜γ）の第１上前面部７６１と、傾斜角がδ２（γ＜δ２＜９０度）の第２上前面部７６２に分けて形成している。
【００６９】
第１上前面部７６１は支持体（７１〜７４）の基端部側に設け、折り曲げ点ＫＰを境にして第２上前面部７６２を支持体（７１〜７４）の先端部側に設けている。そして、各第２上前面部７６２間の直径をＤ１としている。また、第２上前面部７６２の先端までの高さをＨ２としている。折り曲げ点ＫＰの高さは例えば高さＨ２の約半分としているが、これに限定されることはない。
【００７０】
本第２の実施形態によれば、図７において、厚みが大きな光学素子Ｌは第１上前面部７６１で各支持体（７１〜７４）に支持される。第１上前面部７６１の傾斜角度δ１は第１の実施形態における上前面部７６の傾斜角γよりも小さいので、光学素子Ｌの支持位置が下がることになる。このため、光学素子Ｌの上端は高さＨ２よりも低くなる。したがって、収納部５の外径を広げることなく光学素子Ｌを支持することができ、第１の実施形態と同様に２０個の光学素子を収納可能となる。
【００７１】
また、支持トレイ１を真空成形法で成形する場合、下前面部７６の高さが高くなると、その分支持トレイ１の板厚が薄くなるが、下前面部７６の高さを高くしなくても済むので、支持トレイの板厚が薄くならず、十分な強度、剛性が維持できる。
【００７２】
一方、押え部９の各押え体（９１〜９４）の下前面部９６も、上前面部と同様に、折り曲げ点ＫＰを境にして、基板本体３１側に傾斜角δ１の第１下前面部９６１、下端側に傾斜角δ２の第２下前面部９６２を設けている。各押え体（９１〜９４）の高さＨ３と折り曲げ点ＫＰの高さは支持体（７１〜７４）の高さＨ２および折り曲げ点と同じ高さとしている。
【００７３】
したがって、第１の実施形態と同様に、支持トレイ１を上下に配置して、下に配置した支持トレイ１の支持ポケット部７に支持した光学素子Ｌを、上に配置した支持トレイ１の押え部９で押えることができる。
【００７４】
第２の実施形態では、折り曲げ点ＫＰを境にして緩傾斜（傾斜角δ１）の第１上前面部７６１（第１下前面部９６１）と、急傾斜（傾斜角δ２）の第２上前面部７６２（第２下前面部９６２）を支持体（７１〜７４）および押え体（９１〜９４）の各上下前面部７６、９６に形成しているが、二点鎖線で示す放物線のような曲面１１としても良い。
【００７５】
上記した各実施形態において、支持ポケット部７の支持体および押え部９の押え体の個数を４個として説明したが、本発明はこれに限定されるものではなく、３個、あるいは５個等としても良い。光学素子Ｌの外径が小径の場合には、支持体の個数を３個としても十分に光学素子Ｌを支持することができる。
【００７６】
さらに、押え体の個数を支持体の個数と同数（４個）としているが、押え体を対向する２個（第１押え体９１と第３押え体９３、または第２押え体９２と第４押え体９４）のみとしても良い。要するに、押え部９は支持ポケット部７に支持される光学素子Ｌをガタなく押さえることができれば良い。
【００７７】
第３の実施形態
図８、図９は本発明の第３の実施形態を示す。
【００７８】
図８は第３の実施形態を示す支持トレイの概略上面図、図９（ａ）は図８のＤ−Ｄ矢視図、（ｂ）は図８のＥ−Ｅ矢視図である。なお、図８、図９において、図１〜図６に示す部材と同じ部材には同じ符号を付してその説明を省略する。
【００７９】
上記した各実施形態は、被収納体としての円盤状の光学素子Ｌを例にしているが、本第３の実施形態は、収納部５に収納する被収納体を四角形の板部材、例えばミラーＭとしている。この場合、図８に示すように、四角形のミラーＭを取り囲むように、ミラーＭの４辺４１〜４４に対応して一つずつ支持ポケット部６の支持体６１〜６４を設ける。そして、四角形のミラーの長辺４１、４３を支持する支持体６１、６３の両側に対応して、押え部８の押え体８１〜８４を配置する。
【００８０】
基板部３の基板本体３１の上面に支持体（６１〜６４）を配置し、下面に押え体（８１〜８４）を配置する。支持体（６１〜６４）は第１、第２の実施形態と同様に中空形状に形成され、基板本体３１の裏面側に開口する底面開口６５が内部の支持体空洞Ｃ１に通じる。支持体（６１〜６４）は、側面が略直角三角形の柱形状に形成され、ミラーＭを支持する略矩形平面の正面側を上向き傾斜面をなす上前面部６６としている。
【００８１】
一方、押え体（８１〜８４）は、第１の実施形態と同様に中空形状に形成され、基板本体３１の上面側に開口する上面開口８５が内部の押え体空洞Ｃ２に通じる。押え体（８１〜８４）は、支持体（６１〜６４）と同様の側面が略逆直角三角形の柱形状に形成され、ミラーＭを上から接触して押し付ける略矩形平面の正面側を下向き傾斜面をなす下前面部８６としている。
【００８２】
本第３の実施形態は、上記した各実施形態と同様に、支持トレイ１を上下に重ね、下の支持トレイ１の支持体（６１〜６４）に支持したミラーＭを、上の支持トレイ１の押え体（８１〜８４）で押える。その際、下の支持トレイ１の支持体（６１〜６４）は、上の支持トレイ１の支持体空洞Ｃ１に嵌まり込み、上の支持トレイ１の押え体（８１〜８４）は下の支持トレイ１の押え体空洞Ｃ２に嵌まり込む。
【００８３】
したがって、積載段数に１枚の支持トレイを蓋として加えるだけで梱包体を得ることができる。
【００８４】
上記した各実施形態においては、基板本体３１に形成する収納部５をｍ行×ｎ列のマトリックス状に配置する場合を例にして説明したが、本発明はこれに限定されるものではなく、例えば千鳥状に収納部を配置するようにしても良い。
【００８５】
また、被収納体として、光学素子やミラーだけでなく、液晶セル、液晶セルや液晶セルのガラス基板、シリコンウエハー等のウエハー、腕時計のガラス、腕時計側等を例示することができる。
【符号の説明】
【００８６】
Ｃ１  支持体空洞        Ｃ２  押え体空洞        Ｃ３連設空洞
Ｄ１〜Ｄ３  距離（直径）
Ｈ１〜Ｈ３  高さ
ＫＰ  折り曲げ点
Ｌ光  学素子
Ｍ  ミラー
Ｏ  中心点
Ｓ１  上側空間        Ｓ２  下側空間
α、β  中心角
γ、δ１、δ２  傾斜角
１  支持トレイ
３  基板部        ３１  基板本体        ３２  側壁      ３３  フランジ部
４１〜４４  辺
５  収納部
６  支持ポケット部      ６１〜６４  支持体      ６５  底面開口      ６６  上前面部
７  支持ポケット部
７１〜７４  支持体      ７５  底面開口      ７６  上正面部
７６１  第１上前面部      ７６２  第２上前面部
７６ａ  頂面      ７７、７７´  外端      ７８  内端      ７９  連設部
８  押え部      ８１〜８４  押え体
９  押え部
９１〜９４  押え体      ９５  上面開口      ９６  下正面部
９６１  第１下正面部      ９６２  第２下正面部
９６ａ  下頂面      ９７  外端      ９８  内端
１１  曲面
【図１】
0006501723.tif 000002
【図２】
0006501723.tif 000003
【図３】
0006501723.tif 000004
【図４】
0006501723.tif 000005
【図５】
0006501723.tif 000006
【図６】
0006501723.tif 000007
【図７】
0006501723.tif 000008
【図８】
0006501723.tif 000009
【図９】
0006501723.tif 000010